(57)【要約】 【課題】  放電灯のランプ破損を検出する装置で、遠方や目視不可能箇所、高所など点検が困難な場所にあるものを判定可能にするランプ破損検出装置およびランプ破損検出方法を提供する。  【解決手段】  電圧を調節できる電圧可変部と、距離によって出力を調節できる出力調整部と、印加電圧（１次電圧）レベルを検出・表示できる１次電圧検出回路と、ランプ主回路の端子間電圧（２次電圧）を検出表示できる２次電圧検出回路と、放電電流（２次電流）レベルを検出・表示できる２次電圧検出回路と、を備えることを特徴とするランプ破損検出装置であり、放電灯の電源主回路に検出器配線を接続し、電源オンによってそれぞれの測定対象ランプの始動放電に必要な電圧まで徐々に印加し、その時の電流値や印加電圧、端子間電圧によってランプの破損状況を判断する。【選択図】   図１
2006073348.tif 000002
【特許請求の範囲】
【請求項１】
ランプに高電圧を発生させる昇圧部と、
電圧を調節できる電圧可変部と、
距離によって出力を調節できる出力調整部と、
印加電圧（１次電圧）レベルを検出・表示できる１次電圧検出回路と、
ランプ主回路の端子間電圧（２次電圧）を検出表示できる２次電圧検出回路と、
放電電流（２次電流）レベルを検出・表示できる２次電圧検出回路と、
を備えることを特徴とするランプ破損検出装置。
【請求項２】
請求項１のランプ破損検出装置において、ランプ主回路に発生電圧を印加する電圧印加部として、漏洩変圧器を配することを特徴とするランプ破損検出装置。
【請求項３】
請求項１または２のランプ破損検出装置において、距離によって出力を調節できる出力調整部として、リアクトルを配することを特徴とするランプ破損検出装置。
【請求項４】
請求項１から３のいずれかのランプ破損検出装置において、印加電圧（１次電圧）と、測定対象ランプの放電開始電圧まで印加後の端子間電圧（２次電圧）を比較し、それがある閾値以上であるか否かによって破損を検出する方法。
【請求項５】
請求項１から４のいずれかのランプ破損検出装置において、測定対象ランプの放電開始電圧まで印可後の印加電圧（１次電圧）を検出し、それに対する電流値（２次電流）がある値以下であるか否かによって破損を検出する方法。
【発明の詳細な説明】
【技術分野】
【０００１】
この発明は、ＨＩＤ（高輝度放電灯）などの放電灯ランプの分野に関する。
【背景技術】
【０００２】
一般的な外灯や道路・工場照明などに使用されている照明用光源としてはＨＩＤ（高輝度放電灯）があるが、その点灯方法は初期放電をさせた後、主点灯に移行させている。この初期放電は、イグナイター（点灯回路）などによって５〜２０ｋＶといった高圧点灯パルスを印加することによって点灯させる。
【０００３】
一方、これらの放電灯ランプが破損した際の検出機構としては、例えばプロジェクタ用途などではイグナイターを用いてランプの低電圧と表面温度を検出する機構が知られており、（特許文献１、２〜３ページ、特許請求の範囲（課題を解決するための手段）参照）、ネオン管用途としてはパルストランスを用い入力電圧のわずかな変化を検出する方法が知られている（特許文献２、２ページ、特許請求の範囲（実施例）参照）。
【特許文献１】特開２００３−１９５４１８公報
【特許文献２】特開平５−３４６７６９公報
【発明の開示】
【発明が解決しようとする課題】
【０００４】
放電灯のランプが破損した場合、従来技術では上記したように、手元にある機器に検出機構を内蔵させてランプの破損を検出するする必要があり、遠方から判定する手段はなかった。その他にも高所や目視困難な箇所などにも同様の問題があった。そのため、ランプ不点の場合はその場所に行き、点検しなければ破損を確認することができなかった。
【０００５】
そこでこの発明は、遠方など現地点検が困難な場所に設置されている放電灯の破損を検出することができ、ランプが破損しているときはそのことをユーザーに警告することができる様にしたものである。
【課題を解決するための手段】
【０００６】
即ち、本発明のランプ破損検出装置は、ランプに高電圧を発生させる昇圧部と、電圧を調節できる電圧可変部と、距離によって出力を調節できる出力調整部と、印加電圧（１次電圧）レベルを検出・表示できる１次電圧検出回路と、ランプ主回路の端子間電圧（２次電圧）を検出表示できる２次電圧検出回路と、放電電流（２次電流）レベルを検出・表示できる２次電圧検出回路とを備えたものである。
【０００７】
つまり本発明の機構は、たとえば放電灯の電源主回路に検出器配線を接続し、電源オンによってそれぞれの測定対象ランプの始動放電に必要な電圧（以後規定電圧と呼ぶ）まで徐々に印加し、その時の電流値（以後２次電流と呼ぶ）や印加電圧（以後１次電圧と呼ぶ）、端子間電圧（以後２次電圧と呼ぶ）によってランプの破損状況を判断するものである。
【０００８】
その際の現象として、（１）破損ランプは放電開始電圧まで電圧を印可しても放電しないことから、１次電圧に比例して２次電圧が増加し続ける、（２）破損ランプは放電しないため放電時に流れる短絡インピーダンスに比例した電流が流れないことから、規定電圧時の１次電圧に対して２次電流が変化しない、ため破損していることを知ることができる。
【０００９】
その放電回路には、遠方まで敷設された配線に対して安定した放電を得るために、昇圧部分として短絡インピーダンス（放電）時一定電流を供給可能な漏洩変圧器を配することが好ましい。
【００１０】
さらに、遠方（たとえば距離が30mを超過する場合）については、安定かつ正確な判定結果を得るためにその静電容量分をキャンセルできる相当分のリアクトルを配することが好ましい。
【発明の効果】
【００１１】
この発明により、遠方にあるランプの破損を検出することができるほか、目視のできない場所や点検が困難な場所などにあるランプの破損を検出することも可能になり、点検作業の軽減や安全化などを図ることができる。また、ランプ不点灯の原因がランプ破損であるか否かを判断することもでき、不具合対応の高効率化を図ることができる。
【発明を実施するための最良の形態】
【００１２】
｛ランプ破損検出装置の最良の形態：図１〜２｝
ランプ１は、たとえば高圧水銀ランプで、電極間への高圧印加によって点灯する。ランプが破損していた場合、初期の高圧印加で放電をしない。
【００１３】
この形態として、たとえば図１に示すように、装置出力調整部８をランプ電源回路２に接続・印加することによって測定が開始され、その場所を電圧印加点３とする。これはシステムコントローラ１４によって自動的に行われ、測定開始スイッチ１６がオンされると電源スイッチ５が入り電圧可変部６が可変され、昇圧部７によって電圧が上昇され出力調整部８で調整されたあと電圧印加点３に電圧が印加される。
【００１４】
電源系統は、電源コンセントに差し込まれた電源プラグ４からの電源により駆動する。電圧可変部６は、スライダックで可変し、０から電源電圧まで可変できる。最良の形態としては、自動制御によって上昇し、放電開始時の値およびある一定の最高印加電圧で停止できるものである。その可変電圧を高圧に昇圧する昇圧部７として昇圧機能と一定電流安定供給機能を持つものが配置される。それは、変圧器と安定器の組み合わせや、イグナイタなどあるが、最良の形態として漏洩変圧器（図示せず）を採用することによってコンパクトかつ安定的に短絡電流を制限でき、破損の有無の判断を容易にすることができる。
【００１５】
検出回路としては、昇圧部７の手前に１次電圧検出回路９を、２次側には２次電流検出回路１０と２次電圧検出回路１１を配し、それぞれを検出・表示する。それぞれの波形は、記録として出力できるように変換器と端子を設けることができる。
【００１６】
１次電圧検出回路９を上昇させた場合の２次電圧検出回路１１の変化を比較し、該当ランプの放電開始電圧以下で２次電圧が下降することを比較回路１２にて監視する。２次電圧が下降しない場合はランプ破損と判断する。最良の状態は、その結果を判定結果表示部１７に破損である旨の表示をし、電源スイッチを遮断する。なお判定結果表示部１７は、電源スイッチ５の１次側から電源供給し、専用開閉器（図示せず）を設ける方が好ましい。
【００１７】
１次電圧検出回路９を上昇させた時の値と２次電流検出回路１０の値の積算回路１３で演算し、該当ランプの放電電流以上になった場合を正常と判断し、該当ランプの放電開始電圧以下で積算回路１３がその値以上にならなかった場合はランプ破損と判断する。最良の状態は、その結果を判定結果表示部１７に破損である旨の表示をし、電源スイッチを遮断する。なお判定結果表示部１７は、電源スイッチ５の１次側から電源供給し、判定後や、異常時に遮断できる専用開閉器を設ける方が好ましい。
【００１８】
図１が示す破損検知装置の自動検出フローを図２に示す。判定結果は、いずれでも良いが比較回路１２と積算回路１３とのアンド回路とすることによってより精度を高めることができる。
【００１９】
出力調整部８は、対象物までの距離や環境条件などを考慮して設ける。特にケーブルが３０ｍ以上ある場合において相当分のリアクトル（図示せず）を配する方が良い。この装置は回路が固定式として集合する場合やその場所が遠方もしくは測定困難な場所などにある場合などに、すべての操作などを自動的にかつ定期的に実施する装置などとして使用できる。
【実施例】
【００２０】
｛ランプ点灯装置の実態：図３〜図４｝
図３はこの発明ランプ破損検出装置の一実施形態を示す。
ランプは大容量高圧ナトリウム灯を対象とした場合で、印加電圧は最大で８ＫＶまでかけることができる。交流電源４は電源スイッチ５によって印可され、電圧可変部６であるスライダックに供給される。昇圧部７として漏洩トランスで２００Ｖから６６００Ｖまで上昇される。出力調整部８としてケーブル長相当分（ケーブル種別、長さによって算出した静電容量分からと同等で、それを打ち消すことが可能な容量分）のリアクトルがあり、電圧印可点３のクリップをランプ電源回路２に接続することによって回路が形成され破損検知が可能となる。
【００２１】
この装置としては、手動であり電源スイッチ５を入れることによって印可が開始される。２次電圧は電圧可変部６のスライダックにより手動で上昇させる。１次電圧検出回路９や２次電圧検出回路１０、２次電流検出回路１１を盤面計器によって目視で確認し、１次電圧に比例して２次電圧が増加し続ける、および規定電圧時の１次電圧に対して２次電流が変化しない場合を破損と判断する。
【産業上の利用可能性】
【００２２】
このランプ破損検出装置は道路灯、外灯、工場灯などで遠方監視によってランプの破損状況を判断できる。
【００２３】
この破損検出装置は、このほかにも以下の用途として利用できる。
（１）極間耐圧試験装置  特にケーブルジョイント工事後や、盤工事後などに対地間なく相間のみの絶縁耐圧を試験することができる。
（２）耐圧試験機  一般的な耐圧試験機としても使用でき、特に漏洩変圧器を配した場合などでは、絶縁破壊を生じたときでも一定以上の電流が流れないことから一般的なものよりも安全に行うことができる。
（３）試送電（短絡検知）装置  盤や機器などの清掃点検や改造工事後に、道具の置き忘れや短絡片、接地線などの取り外し忘れなどによって、送電後に短絡事故などを起こす場合がある。この装置によって送電直前に相間に印加すれば（これを試送電と呼ぶ）、短絡状態にないかを事前に確認することができ、安全に送電をおこなうことができる。
（４）ランプ始動放電試験装置  ランプの始動放電の状態を観測するための装置としても使用できる。
【図面の簡単な説明】
【００２４】
【図１】この発明のランプ破損検出装置の概略図である。
【図２】この発明のランプ破損検出装置の自動検出フローの一例を示したフローチャート図である。
【図３】この発明の一実施形態を示す概略回路図である。
【図４】この発明のランプ破損検出装置の外観構成の一例を示した全体図である。
【符号の説明】
【００２５】
１．ランプ
２．ランプ電源回路
３．電圧印可点
４．交流電源
５．電源スイッチ
６．電圧可変部
７．昇圧部
８．出力調整部
９．１次電圧検出回路
１０．２次電流検出回路
１１．２次電圧検出回路
１２．比較回路
１３．積算回路
１４．システムコントローラ
１５．制御
１６．測定開始スイッチ
１７．判定結果表示部
【図１】
2006073348.tif 000003
【図２】
2006073348.tif 000004
【図３】
2006073348.tif 000005
【図４】
2006073348.tif 000006